(57)【要約】【課題】限られた空間を最大限に有効活用することにより、広範で、かつ使い勝手の良い収納部を形成した洗面化粧台を提供することを目的とする。【解決手段】本発明の代表的な構成は、天板１０２と背板１０４と一対の側板１０６とに囲まれた収納部を備える洗面化粧台１００であって、天板１０２に対し、左右方向に片寄せして設置されるボール１１８と、ボール１１８に湯水を供給する水栓１２０と、ボール１１８と連結し、湯水を排水する排水管１２２と、側板１０６間を、ボール１１８および排水管１２２が配置される一方の空間と、他方の空間とに仕切る仕切板１２４と、一方の空間に設けられ、ボール１１８および排水管１２２と干渉しない奥行きの浅い収納部と、他方の空間に設けられ、高さ方向は天板１０２近傍に達し、奥行き方向は背板１０４近傍まで達する深い収納部と、を備え、深い収納部は、少なくとも１つの籠１３０を有することを特徴とする洗面化粧台。【選択図】図２
2011000340.tif 000002
【特許請求の範囲】
【請求項１】
天板と背板と一対の側板とに囲まれた収納部を備える洗面化粧台であって、
前記天板に対し、左右方向に片寄せして設置されるボールと、
前記ボールに湯水を供給する水栓と、
前記ボールと連結し、前記湯水を排水する排水管と、
前記側板間を、前記ボールおよび前記排水管が配置される一方の空間と、他方の空間とに仕切る仕切板と、
前記一方の空間に設けられ、前記ボールおよび前記排水管と干渉しない奥行きの浅い収納部と、
前記他方の空間に設けられ、高さ方向は前記天板近傍に達し、奥行き方向は前記背板近傍まで達する深い収納部と、を備え、
前記深い収納部は、少なくとも１つの籠を有することを特徴とする洗面化粧台。
【請求項２】
前記一方の空間には、前記ボール近傍または前記排水管近傍まで延設され引出または籠を案内する第１案内レールが１組以上設けられ、
前記他方の空間では、前記背板近傍まで延設され引出または籠を案内する第２案内レールが１組以上設けられることを特徴とする請求項１に記載の洗面化粧台。
【請求項３】
前記第２案内レール上に、摺動可能に支持された引出をさらに備え、
前記籠が、前記引出の底板上に載置されることを特徴とする請求項２に記載の洗面化粧台。
【請求項４】
前記籠が、前記第２案内レール上に、摺動可能に支持されることを特徴とする請求項２に記載の洗面化粧台。
【請求項５】
前記第２案内レールが上下方向に複数配置されており、
前記天板近傍に設けられた前記第２案内レール上には、上段の前記籠が摺動可能に支持されていて、
下方の前記第２案内レール上には引出が備えられ、かつ該引出の底板上に下段の前記籠が載置されていることを特徴とする請求項２に記載の洗面化粧台。
【発明の詳細な説明】
【技術分野】
【０００１】
本発明は洗面化粧台に関し、特に、天板と背板と一対の側板とに囲まれた空間に形成される収納部を有する洗面化粧台に関するものである。
【背景技術】
【０００２】
浴室に隣接して設けられる脱衣所などには、一般的に洗面化粧台が設置される。洗面化粧台は、洗面、化粧、整髪、歯磨き等、ユーザの生活様式に対応して種々の用途に利用される。そのため、これらに使用される道具などを収納する広範で使い勝手のよい収納部を備える洗面化粧台が求められている。
【０００３】
洗面化粧台では、一般的に、天板と背板と一対の側板とに囲まれた空間は、収納部として利用される。しかし、この空間には、天板に設置されたボールの下面が突出しており、またボールと連結された排水管が存在するため、死角となる空間（デッドスペース）が生じ得る。
【０００４】
そこで、このような空間をいかに活用するかが当業者の課題の一つとなっており、従来から様々な技術が提案されている。例えば、特許文献１には、天板下部の手前に棒状のバーを着脱自在に配設して、布や幕等の目隠し、床マット、掃除ブラシ、雑巾等を掛着可能にする技術が開示されている。
【先行技術文献】
【特許文献】
【０００５】
【特許文献１】特開２００２−１８６５６５号公報
【発明の概要】
【発明が解決しようとする課題】
【０００６】
しかしながら、特許文献１では、天板下部の空間の有効活用を目的としながらも、単に棒状のバーをその空間のごく一部に配設したに過ぎない。すなわち、収納部として通常利用され得る空間にバーを配設したのみであって、何ら空間を有効活用する技術を開示してはいない。そこで、デッドスペース等の空間を極力減らして使用者の使い勝手の向上を図る、真に空間を有効活用する技術が求められる。
【０００７】
本発明は、このような課題に鑑みてなされたものであり、限られた空間を最大限に有効活用することにより、広範でかつ使い勝手の良い収納部を形成した洗面化粧台を提供することを目的とする。
【課題を解決するための手段】
【０００８】
本発明者らは、鋭意検討の結果、点在するデッドスペースを一まとめにできれば、デッドスペースたる空間を使用空間として活用できるのではないかと思量した。そこで、さらに検討を重ね、本発明を完成するに至った。
【０００９】
すなわち、上記課題を解決するために本発明の代表的な構成は、天板と背板と一対の側板とに囲まれた収納部を備える洗面化粧台であって、天板に対し、左右方向に片寄せして設置されるボールと、ボールに湯水を供給する水栓と、ボールと連結し、湯水を排水する排水管と、側板間を、ボールおよび排水管が配置される一方の空間と、他方の空間とに仕切る仕切板と、一方の空間に設けられ、ボールおよび排水管と干渉しない奥行きの浅い収納部と、他方の空間に設けられ、高さ方向は天板近傍に達し、奥行き方向は背板近傍まで達する深い収納部と、を備え、深い収納部は、少なくとも１つの籠を有することを特徴とする。
【００１０】
かかる構成によれば、天板と背板と一対の側板とに囲まれた空間において、天板から突出したボールの下面および排水管を一方の空間にまとめて配置し、他方の空間に天板、背板まで達する深い収納部を広範に設けることができる。すなわち、デッドスペースとなっていた空間を使用空間として活用できるため、限られた空間の殆どを収納部として利用することができる。
【００１１】
また、洗面化粧台は一般的に脱衣所に設置され、脱衣所には衣類を収納する籠が配置される。この構成によれば、収納部として籠を備えているので、外部に籠を剥き出しで配置する必要がなく、美観の向上に寄与できる。加えて、籠は、内部が密閉されることなく、埃も溜まらないため、防臭・防塵の点でも好適である。
【００１２】
上記一方の空間には、ボール近傍または排水管近傍まで延設され引出または籠を案内する第１案内レールが１組以上設けられ、他方の空間では、背板近傍まで延設され引出または籠を案内する第２案内レールが１組以上設けられるとよい。これにより、広範で好適な収納部を備え付けることができる。
【００１３】
上記第２案内レール上に、摺動可能に支持された引出をさらに備え、籠が、引出の底板上に載置されるとよい。これにより、必要に応じて籠を取り出して持ち運ぶことができるので、使い勝手の向上を図ることができる。
【００１４】
上記籠が、第２案内レール上に、摺動可能に支持されてもよい。排水管の周辺は、比較的不衛生との印象をもたれやすく、その周囲の空間を収納部として利用することを敬遠されるおそれがある。排水管から隔離された空間ではこのような問題を排除できるが、特に防臭・防塵の点においても寄与し得る籠を採用すれば、衛生的な印象をさらに向上させることができる。
【００１５】
上記第２案内レールが上下方向に複数配置されており、天板近傍に設けられた第２案内レール上には、上段の籠が摺動可能に支持されていて、下方の第２案内レール上には引出が備えられ、かつこの引出の底板上に下段の籠が載置されていてもよい。これにより、収納物を頻度や用途に応じて収納することができるので、使い勝手の向上を図り得る。具体的には、頻繁に使用するものを天板近傍に収納すれば、使用者は内部の収納物を屈まずに取り出すことができるため、身体的な負担の低減を図ることができる。
【発明の効果】
【００１６】
本発明によれば、限られた空間を最大限に有効活用することにより、広範でかつ使い勝手の良い収納部を形成した洗面化粧台を提供することができる。
【図面の簡単な説明】
【００１７】
【図１】本実施形態にかかる洗面化粧台の外観を示す斜視図である。
【図２】本実施形態にかかる洗面化粧台の内部構造を示す分解斜視図である。
【図３】本実施形態にかかる洗面化粧台の内部構造を示す三面図である。
【図４】比較例としての従来の洗面化粧台の内部構造を示す三面図である。
【発明を実施するための形態】
【００１８】
以下に添付図面を参照しながら、本発明の好適な実施形態について詳細に説明する。係る実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は本実施形態にかかる洗面化粧台１００の外観を示す斜視図、図２は洗面化粧台１００の内部構造を示す分解斜視図である。図１、図２に示すように、洗面化粧台１００は、天板１０２、背板１０４、側板１０６、鏡保持体１１０、鏡１１２、トレイ１１４、照明１１６、ボール１１８、水栓１２０、排水管１２２、仕切板１２４、浅い収納部としての引出１２６、深い収納部としての引出１２８および籠１３０ａ、１３０ｂ、第１案内レール１３２、第２案内レール１３４を包含する。以下、各要素について詳述する。
【００２０】
天板１０２、背板１０４、一対の側板１０６は、端部でそれぞれ連結し、内部に空間を形成する。背板１０４は、さらに鏡保持体１１０と連結し、洗面化粧台１００の全体の枠体を構成する。
【００２１】
鏡保持体１１０は、単一または複数の部材からなる基体であって、鏡１１２やトレイ１１４を支持する。また、その上部には照明１１６が備えられる。鏡保持体１１０の材質としては、ステンレスや合成樹脂を用いることができる。
【００２２】
鏡１１２は、使用者が水栓１２０を利用しながら身だしなみを整えることができるように、ボール１１８（水栓１２０)の位置に合わせて配置される。本実施形態では、鏡１１２として一面鏡を用いているが、三面鏡を採用してもよい。
【００２３】
トレイ１１４は、その上部に物品を載置することができるように、鏡保持体１１０に固定される。これにより、洗面、化粧、整髪、歯磨き等に供する細かな物をトレイ１１４上に載置しておくことができるので、使い勝手の向上を図り得る。
【００２４】
照明１１６は、蛍光灯などの発光により使用者を照光する。洗面化粧台１００の用途を考慮すると、適度な明るさで影を作らないように全体的に照らすものが好ましい。
【００２５】
ボール１１８は、水栓１２０から供給された湯水を受け止め、連結された排水管１２２へ排水する。本実施形態の特徴の一つとして、ボール１１８は、天板１０２に対し、左右方向に片寄せして設置される。これにより、天板１０２から突出するボール１１８の下面をも片寄せすることができる。
【００２６】
水栓１２０は、使用者の操作により湯水をボール１１８に向かって供給する。排水管１２２は、ボール１１８と連結し、ボール１１８から流入した湯水を外部へと排水する。上述したように、本実施形態においてボール１１８は片寄せして設置されるため、排水管１２２も片寄せして配置されることとなる。なお、排水管１２２のボール１１８に対する据付位置を調節することで、後述する本実施形態の効果を増進（空間をさらに有効に活用）することができる。
【００２７】
仕切板１２４は、側板１０６間を、ボール１１８および排水管１２２が配置される一方の空間と、他方の空間とに仕切る。仕切板１２４の配置としては、他方の空間をなるべく広く確保できるように、ボール１１８や排水管１２２に隣接して設けられることが好ましい。
【００２８】
このように仕切板１２４を配置するのには、二つ理由がある。一つ目としては、他方の空間には一切の干渉物が存在しないため内部全てを収納部として有効に活用できるからである。換言すれば、他方の空間にはデッドスペースを生じ得ないからである。
【００２９】
そして、二つ目の理由としては、排水管１２２の周辺は不衛生になりがちであり、また漏水や故障等により収納物が被害を受けるおそれもあるからである。換言すれば、排水管１２２から隔離された他方の空間の方が、収納空間としてより好適であるからである。
【００３０】
引出１２６は、一方の空間に設けられた浅い収納部であって、第１案内レール１３２に沿って摺動する。第１案内レール１３２は、一方の空間においてボール１１８近傍または排水管１２２近傍まで延設され、引出１２６を案内する。これにより、引出１２６は、ボール１１８や排水管１２２と非干渉になっている。なお、この一方の空間は、少なくともボール１１８の幅に対応した空間を占有するため、充分な広さを有する。故に、引出１２６も充分な収納空間を保有し得る。
【００３１】
引出１２８および籠１３０ａ、１３０ｂは、他方の空間に設けられた深い収納部である。具体的には、引出１２８および籠１３０ａは第２案内レール１３４に沿って摺動し、その奥行きは背板１０４近傍まで達する。第２案内レール１３４は、他方の空間において背板１０４近傍まで延設され、引出１２８や籠１３０ａを案内する。すなわち、排水管１２２が存在しないため奥行きを限度いっぱいに設定することができ、広範な収納空間を獲得することが可能である。
【００３２】
また、籠１３０ａは、引出１２８内であって天板１０２近傍に設けられる。天板１０２近傍に籠１３０ａを配置することで、空間を広範に活用できる利点に加え、使用者の手が届きやすくなる効果がある。故に、屈まずとも収納物を出し入れすることが可能になり、使用者にかかる負担を低減することができる。なお、籠１３０ａは、引出１２８内に配置されるため、引出１２８と同時に使用することもできる。
【００３３】
また、籠１３０ｂは、引出１２８の底板上に載置される。そのため、必要に応じて籠１３０ｂの取り外し、持ち運びが可能である。洗面化粧台１００は、脱衣所に設置されると想定され、籠１３０ｂの用途としては脱衣所で利用される洗濯物籠の代替が考えられる。そのような場合、例えば、脱衣所で脱いだ洗濯物を籠１３０ｂに投げ込んで、溜まったら籠１３０ｂごと取り外して洗濯するという使い方をすることができる。よって、洗濯物籠を剥き出しで配置する必要がないので、美観の向上に寄与し得る。
【００３４】
籠１３０の利点としては、内部が密閉されず、埃等がたまりにくいことが挙げられる。すなわち、籠１３０は、防臭・防埃効果を奏し、衛生的に優れている。
【００３５】
なお、本実施形態において、籠１３０ａ、１３０ｂは、他方の空間（深い収納部）に設けられているが、一方の空間（浅い収納部）にも籠を設けていてもよい。また、籠の数や大きさは都合に応じて任意に設定してよい。ただし、第２案内レール１３４（または第１案内レール１３２）に支持される籠１３０ａは、概して、引出１２８（または引出１２６）上に載置される籠１３０ｂより小さい方が好ましい。
【００３６】
上述した各要素により、本実施形態にかかる洗面化粧台１００は構成される。以下、本実施形態の技術的貢献たる効果について、従来技術と対比しながら説明する。
【００３７】
図３は本実施形態にかかる洗面化粧台１００の内部構造を示す三面図、図４は比較例としての従来の洗面化粧台２００の内部構造を示す三面図である。特に、図３（ａ）、図４（ａ）は右側面から各々の内部構造を示しており、図３（ｂ）、図４（ｂ）は正面から各々の内部構造を示しており、また図３（ｃ）、図４（ｃ）は左側面から各々の内部構造を示している。
【００３８】
図４に示すように、通常、従来の洗面化粧台２００は、ボール２１８（排水管２２２）が中央に配置され、その下部には引出２２６が備えられる。そのため、ボール２１８の両端や引出２２６の奥方にデッドスペースを生じることとなる。
【００３９】
一方、図３に示すように、本実施形態にかかる洗面化粧台１００は、天板１０２に対しボール１１８や排水管１２２を片寄せして配置したため、これらが配置される空間にわずかなデッドスペースを生じるのみである。そして、他方の空間には天板１０２、背板１０４まで達する深い収納部を広範に設けることができる。故に、限られた空間の殆どを収納部として利用することができる。
【００４０】
なお、上記実施形態および図面においては、引出１２８を前板の大きな引出とし、籠１３０ａは前板のない、いわゆる内引出の構成として説明した。しかし本発明はこれに限定するものではなく、上段の籠も独立した引出としてもよい。一方、上段の引出を内引出とすることにより、内容物を少し見えにくくするという効果を有しているため、用途に応じて使い分けることが可能となる。
【００４１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、天板と背板と一対の側板とに囲まれた空間に形成される収納部を有する洗面化粧台に利用できる。
【符号の説明】
【００４３】
１００…洗面化粧台、１０２…天板、１０４…背板、１０６…側板、１１０…鏡保持体、１１２…鏡、１１４…トレイ、１１６…照明、１１８…ボール、１２０…水栓、１２２…排水管、１２４…仕切板、１２６…引出、１２８…引出、１３０ａ、１３０ｂ…籠、１３２…第１案内レール、１３４…第２案内レール、２００…洗面化粧台、２１８…ボール、２２２…排水管、２２６…引出
【図１】
2011000340.tif 000003
【図２】
2011000340.tif 000004
【図３】
2011000340.tif 000005
【図４】
2011000340.tif 000006